(57)【要約】【課題】  ＩＣタグを用いたモルタル・コンクリートの品質管理試験などの物理試験等において、偽装や改ざんを防止することが可能なＩＣタグを提供すること。【解決手段】  コンクリートがフレッシュな状態の期間中に、該コンクリートの一部に配置されてから該コンクリートから取出されるまで間で、ＩＣタグ本体の一部又はＩＣタグを覆う包装体の一部が、変形又は変質することを特徴とするＩＣタグである。【選択図】  なし【特許請求の範囲】
【請求項１】
コンクリートがフレッシュな状態の期間中に、該コンクリートの一部に配置されてから該コンクリートから取出されるまで間で、ＩＣタグ本体の一部又はＩＣタグを覆う包装体の一部が、変形又は変質することを特徴とするＩＣタグ。
【請求項２】
請求項１に記載のＩＣタグにおいて、該コンクリートの一部から該ＩＣタグを取出す際に、該ＩＣタグの本体の一部又は該ＩＣタグを覆う包装体の一部が、該コンクリートの一部に残るような材料で構成されていることを特徴とするＩＣタグ。
【請求項３】
請求項１に記載のＩＣタグにおいて、該コンクリートから該ＩＣタグを取出した際に、該ＩＣタグの本体の一部が、変形又は変質し、該ＩＣタグが正常に動作しないよう構成されていることを特徴とするＩＣタグ。
【発明の詳細な説明】
【技術分野】
【０００１】
本発明は、ＩＣタグに関し、特に、偽装や改ざんを防止することが可能なＩＣタグに関する。
【背景技術】
【０００２】
近年、モルタル・コンクリートのトレーサビリティを確保するために、ＩＣタグ等の非接触通信媒体を用いた管理が行われ始めている。特に、特許文献１に示すように、モルタル・コンクリートの品質管理試験などに使用される供試体（テストピース）に、ＩＣタグ等を挿入あるいは貼付するなどして、現場名や配合種類などの情報をＩＣタグ等に記憶させ、供試体と当該情報とを確実に関連付け、試験データの信頼性を向上させる方法が提案され、一部で実用化されている。
【０００３】
また、供試体にＩＣタグ等を取り付けることで、供試体による圧縮強度などの物理試験や耐久性能の評価試験などでは、供試体１本１本に固有（唯一無二）のコード番号を付して、それぞれを区別することにより、取り間違えや情報の記載・転記ミスを防ぐことも可能である。
【０００４】
さらには、ＲＯＭ形式の記憶媒体や、あるいは追記のみ可能な記憶媒体を備えたＩＣタグのように、記録内容の変更が行えないＩＣタグを使用することにより、情報データの改ざんを防ぐことも可能である。
【０００５】
しかしながら、悪意ある行為によって、供試体に内挿又は貼付したＩＣタグを、全く別の供試体に、再度、内挿又は貼付し直した場合には、供試体に係るデータを偽装することも可能となる。
【０００６】
例えば、立会い試験等において、発注者が自ら持参したＩＣタグを、試験対象となる供試体に内挿又は貼付した場合、生コンクリート業者などの受注者が、当該ＩＣタグを別のＩＣタグにすり替えることは困難であるが、コンクリートがフレッシュな状態（コンクリートが固まっていない状態）であれば、容易にＩＣタグを抜き取ることができるため、立会い終了後に、別の供試体に付け直し、本来の試験値とは異なるデータを得ることも可能となる。
【先行技術文献】
【特許文献】
【０００７】
【特許文献１】特開２００８−１３９１７３号公報
【発明の概要】
【発明が解決しようとする課題】
【０００８】
本発明の目的は、上述した問題を解決し、ＩＣタグを用いたモルタル・コンクリートの品質管理試験などの物理試験等において、偽装や改ざんを防止することが可能なＩＣタグを提供することである。
【課題を解決するための手段】
【０００９】
上記課題を解決するため、本発明のＩＣタグは、コンクリートがフレッシュな状態の期間中に、該コンクリートの一部に配置されてから該コンクリートから取出されるまで間で、ＩＣタグ本体の一部又はＩＣタグを覆う包装体の一部が、変形又は変質することを特徴とする。
【００１０】
また、本発明のＩＣタグは、コンクリートの一部から該ＩＣタグを取出す際に、該ＩＣタグの本体の一部又は該ＩＣタグを覆う包装体の一部が、該コンクリートの一部に残るような材料で構成されていることが好ましい。あるいは、本発明のＩＣタグは、コンクリートから該ＩＣタグを取出した際に、該ＩＣタグの本体の一部が、変形又は変質し、該ＩＣタグが正常に動作しないよう構成されていることが好ましい。
【発明の効果】
【００１１】
本発明のＩＣタグにより、コンクリートがフレッシュな状態の期間中に、該コンクリートの一部に配置されてから該コンクリートから取出されるまで間で、ＩＣタグ本体の一部又はＩＣタグを覆う包装体の一部が、変形又は変質するため、当該ＩＣタグを抜き取って他の供試体に再装着するような偽装や改ざんを防止することが可能となる。
【発明を実施するための形態】
【００１２】
本発明に係るＩＣタグについて、以下に詳細に説明する。
本発明のＩＣタグは、コンクリートがフレッシュな状態の期間中に、該コンクリートの一部に配置されてから該コンクリートから取出されるまで間で、ＩＣタグ本体の一部又はＩＣタグを覆う包装体の一部が、変形又は変質することを特徴としている。
【００１３】
ＩＣタグ本体やＩＣタグを覆う包装体に変形又は変質を発生させる作用の例としては、例えば、（１）コンクリート中の水分による影響、（２）水硬性組成物のアルカリ性の影響、（３）コンクリートから取出す際の物理的な抵抗等による影響、などがある。
【００１４】
また、変形又は変質の状態の例としては、（１）ＩＣタグに貼り付けたラベルや包装材の破損、（２）ＩＣタグの表面への印刷等で使用したインクのにじみ、（３）ＩＣタグ表面の汚れや傷によるもの、（４）ＩＣタグの表面が変色又は、当該表面に文字や記号などが浮き出るもの、などがある。
【００１５】
以下に、変形又は変質に係る具体的なものを例示する。
（１）ラベルや包装材にミシン目を入れることにより、コンクリートの一部に配置されたＩＣタグを取出す際に、物理的な抵抗により、ＩＣタグの形状が損なわれるようにする。この際、破損した部分の全体または一部が、ＩＣタグを取出した供試体の内部に残るような形状にすることにより、さらに試験結果の偽装や改ざんが難しくなる。
【００１６】
（２）水分と反応して溶解する素材を、ＩＣタグの本体の一部やＩＣタグを覆う包装体の一部に使用する。これにより、ＩＣタグを抜き取った際に、その一部の構成部分が欠落するよう構成することが可能である。さらに、素材に着色も施すことで、供試体内の着色状態や着色の有無などにより、偽装や改ざんがあったか否かが判別可能となる。
【００１７】
（３）水分やアルカリ性雰囲気と反応して、ＩＣタグのラベル等に使用されたインクが消失又は変色する材料を使用することで、ラベル等の文字や記号が乱れ、供試体からのＩＣタグの取出しの有無を判別することができる。
【００１８】
（４）ラベル等の文字や記号の使用したインクが、モルタル・コンクリートの供試体の表面側に転写されることでも、供試体からのＩＣタグの引き剥がしなどの偽装や改ざんなどを防止することが可能となる。
【００１９】
（５）ＩＣタグの表面に鉄を使用する部分を設ける。コンクリート中は強アルカリであるため鉄部分は錆びないが、コンクリートの供試体から取出して空気に触れると直に錆が発生し、偽装や改ざんが容易に判別することが可能となる。
【００２０】
以上の具体例にも示しているように、本発明のＩＣタグは、コンクリートの一部から該ＩＣタグを取出す際に、該ＩＣタグの本体の一部又は該ＩＣタグを覆う包装体の一部が、該コンクリートの一部に残るような材料で構成されていることが好ましい。
【００２１】
また、本発明のＩＣタグは、コンクリートから該ＩＣタグを取出した際に、該ＩＣタグの本体の一部が、変形又は変質し、該ＩＣタグが正常に動作しないよう構成されていることも好ましい。ただし、通常の供試体に内挿する作業では、ＩＣタグが破損しないようにすることは、不可欠である。
【産業上の利用可能性】
【００２２】
以上のように、本発明によれば、ＩＣタグを用いたモルタル・コンクリートの品質管理試験などの物理試験等において、偽装や改ざんを防止することが可能なＩＣタグを提供することが可能となる。